(57)【特許請求の範囲】
【請求項１】
複数の画像に関連するデータを、レコードに関連するデータと比較するステップと、
前記複数の画像の少なくとも一つの画像を前記レコードにリンク付けするために、複数のモードから一つのモードを選択するステップであって、前記複数のモードは、少なくとも、前記レコードの少なくとも１つのキーワードと一致するキーワードを少なくとも１つ有する画像のグループを表示するモードと、前記レコードに関連するキーワードと一致する関連キーワードの数が最も多い画像を表示するモードと、を含む、ステップと、
前記画像に関連するデータの少なくとも一部が、前記レコードに関連するデータの少なくとも一部と一致する場合に、前記複数の画像の少なくとも一つの画像を前記レコードとリンク付けするステップと、
を含む、方法。
【請求項２】
前記レコードに関連するユーザからの通信の受信に応答して前記画像を表示するステップをさらに含む、請求項１に記載の方法。
【請求項３】
前記リンク付けするステップが２つ以上の画像をリンク付けするステップを含み、
当該方法が、前記２つ以上の画像を順番に表示するステップをさらに含む、請求項１に記載の方法。
【請求項４】
前記表示するステップが、前記２つ以上の画像のうちの少なくとも１つを表示する期間をユーザが選択することができるようにするステップをさらに含む、請求項３に記載の方法。
【請求項５】
前記表示するステップが、前記２つ以上の画像を表示する順序をユーザが選択することができるようにするステップをさらに含む、請求項３に記載の方法。
【請求項６】
前記選択するステップが、前記画像をユーザが選択することができるようにするステップをさらに含む、請求項１に記載の方法。
【請求項７】
前記リンク付けするステップが、前記画像の前記表示に関係するパラメータをユーザが修正することができるようにするステップをさらに含む、請求項１に記載の方法。
【請求項８】
レコードおよび該レコードに関連するデータを記憶するメモリと、
前記メモリに結合され、前記レコードに関連する前記データと複数の画像に関連するデータとを比較し、前記画像と関連する前記データと前記レコードと関連するデータとをリンク付けするために複数のモードから一つのモードを選択するプロセッサであって、前記複数のモードは、少なくとも、前記レコードの少なくとも１つのキーワードと一致するキーワードを少なくとも１つ有する画像のグループを表示するモードと、前記レコードに関連するキーワードと一致する関連キーワードの数が最も多い画像を表示するモードと、を含む、プロセッサと、
前記プロセッサに結合され、画像に関連するデータの少なくとも一部が、前記レコードに関連するデータの少なくとも一部と一致する場合に、前記画像を表示するディスプレイと、
を備える、装置。
【請求項９】
前記プロセッサが、ユーザが前記装置を用いて通信を受信すること、および前記ユーザが前記装置を用いて前記通信を完了することの一方に応答して、前記画像の表示を可能にする、請求項８に記載の装置。
【請求項１０】
前記ディスプレイが、前記装置のベース・ユニットにある、請求項８に記載の装置。
【請求項１１】
前記画像が、前記レコードとリンク付けされた後で、前記ベース・ユニットとハンドセットの間で通信される、請求項１０に記載の装置。
【請求項１２】
前記装置が、電気通信デバイスである、請求項８に記載の装置。
【請求項１３】
複数の画像に関連するデータを、レコードに関連するデータと比較する手段と、
前記画像に関連する前記データと前記レコードに関連するデータとをリンク付けするために複数のモードから一つのモードを選択する手段であって、前記複数のモードは、少なくとも、前記レコードの少なくとも１つのキーワードと一致するキーワードを少なくとも１つ有する画像のグループを表示するモードと、前記レコードに関連するキーワードと一致する関連キーワードの数が最も多い画像を表示するモードと、を含む、手段と、
前記複数の画像から、前記画像に関連するデータの少なくとも一部が前記レコードに関連するデータの少なくとも一部と一致する場合に、前記画像を選択する手段と、
前記画像を表示する手段と、
前記画像を前記レコードと関連付ける手段と、
を備える、装置。
【請求項１４】
前記画像と前記レコードの間の関連を示すデータを記憶する手段をさらに備える、請求項１３に記載の装置。
【請求項１５】
別の装置からの通信の受信および別の装置からの通信の完了の一方に応答して、前記画像の表示を可能にする手段をさらに備える、請求項１４に記載の装置。
【発明の詳細な説明】
【技術分野】
【０００１】
本発明は、一般に、通信機能を有する装置に関し、より詳細には、装置上での通信に関係する記憶したレコードと画像とを関連付ける方法および装置に関する。
【背景技術】
【０００２】
発信者電話番号通知（ＣＩＤ）などの通信機能強化は、電気通信型のデバイスでは一般的な機能である。従来のＣＩＤ機能は、一般に、発呼者からの入来電話呼を受信したときに、発呼者の電話番号と（入手できる場合には）名前とを表示する。このようにして、ＣＩＤは、入来電話呼を受信した当事者が、その呼に応答する前に発呼者が誰であるか知ることができるようにするものであり、例えば、当事者同士が互いの呼をスクリーニングできる手段として使用することができる。
【０００３】
別の形態のＣＩＤは、発呼者からの入来電話呼を受信したときに、発呼者に対応するピクチャまたは画像を表示するものである。例えば、ある種の携帯電話は、ユーザが、予め記憶されている漫画の画像を発呼者の電話帳エントリまたはＣＩＤエントリとリンク付けすることができるオプションを備えている。予め記憶されている漫画画像は、その後に発呼者からの入来電話呼を受信したときに表示される。この形態のＣＩＤは、発呼者が誰であるかを示すのに有用であることもあるが、問題もいくつかある。例えば、ユーザは、発呼者の電話帳エントリと関連付けるピクチャを選択しなければならない。ピクチャを選択するプロセスは、特に多数のピクチャが利用可能である場合には、時間のかかる退屈な作業になることもある。さらに、ピクチャを選択するプロセスでは、ピクチャの選択を行うために、ピクチャまたは電話レコードを備えた、ファイル名やテキストなどの追加データをユーザが評価することを含むこともある。追加データを評価することにより、ピクチャの選択を行う際の手間暇がさらにかかることになる。
【発明の概要】
【発明が解決しようとする課題】
【０００４】
従って、前述の問題に対処することにより、時間がかからず退屈でない方法で電話レコードなどのレコードと画像を関連付ける、ＣＩＤなどの通信機能強化を用いた方法および装置が必要とされている。本発明は、上記および／またはその他の問題に対処するものである。
【課題を解決するための手段】
【０００５】
本発明の特徴によれば、複数の画像に関連するデータを、レコードに関連するデータと比較するステップと、前記複数の画像から選択した画像に関連するデータの少なくとも一部が、前記レコードに関連するデータの少なくとも一部と一致する場合に、前記画像を前記レコードとリンク付けするステップとを含む方法が開示される。
【０００６】
本発明の別の特徴によれば、装置が開示される。例示的な発明によれば、この装置は、レコードおよび前記レコードに関連するデータを記憶するメモリと、前記メモリに結合された、前記レコードに関連する前記データと、複数の画像に関連するデータとを比較する制御装置と、前記制御装置に結合された、画像に関連するデータの少なくとも一部が、前記レコードに関連するデータの少なくとも一部と一致する場合に、前記画像を表示するディスプレイとを備える。
【０００７】
別の例示的な発明によれば、装置は、複数の画像に関連するデータを、レコードに関連するデータと比較する手段と、前記複数の画像から、画像に関連するデータの少なくとも一部が前記レコードに関連するデータの少なくとも一部と一致する場合に、前記画像を選択する手段と、前記画像を表示する手段と、前記画像を前記レコードと関連付ける手段とを備える。
【０００８】
以下の説明を添付の図面と関連付けて参照することにより、本発明の上述およびその他の特色および利点、ならびにそれらを達成する方法はより明らかになり、本発明はよりよく理解されるであろう。
【図面の簡単な説明】
【０００９】
【図１】本開示の例示的な実施例を示すブロック図である。
【図２】本開示の別の例示的な実施例を示すブロック図である。
【図３】本開示の例示的な実施例による、画像リンク付け機能を設定するプロセスを示す流れ図である。
【図４】本開示の例示的な実施例による、画像をレコードとリンク付けするプロセスを示す流れ図である。
【図５】本開示の例示的な実施例による、画像をレコードとリンク付けする別のプロセスを示す流れ図である。
【図６】本開示の例示的な実施例による、画像リンク付け機能を設定する別のプロセスを示す流れ図である。
【図７】本開示の例示的な実施例による、画像リンク付け機能と共に使用されるユーザ・インタフェースを示す図である。
【図８】本開示の例示的な実施例による画像表示機能を実行するステップを示す流れ図である。
【発明を実施するための形態】
【００１０】
本明細書に記載する例示は、本開示の好ましい実施例を説明するものであり、これらの例示は、いかなる意味でも本開示の範囲を限定するものとして解釈されるものではない。
【００１１】
次に、図面、特に図１を参照すると、本開示の特徴による通信装置１００の実施例を示すブロック図が示してある。一般に、通信装置には、固定電話型デバイス、携帯電話型デバイス、またはインターネット型電話デバイスなどがあるが、これらに限定されるわけではない。図１に示すように、通信装置１００は、ユーザ入力端末部１０と、入出力ブロック１２と、プロセッサ１４と、メモリ１６と、ディスプレイ１８と、音声トランシーバ２０とを備える。通信装置１００の上述の要素の一部は、１つまたは複数の集積回路（ＩＣ）を用いて実装することもできる。説明を分かり易くするために、一部の制御信号、パワー信号、および／またはその他の要素など、通信装置１００に関連する一部の従来技術の要素は、図１には示していない場合もある。例示的な実施例によれば、図１の通信装置１００は、電話通信機能を有する任意タイプのデバイス、システム、および／または装置として実装することができ、また、例えば、オーディオ処理機能および／またはビデオ処理機能など、その他の機能を有するデバイス、システム、および／または装置に一体化することもできる。
【００１２】
ユーザ入力端末部１０は、ユーザからの入力を受け、ユーザ入力に対応する信号をプロセッサ１４に出力するように動作することができる。例示的な実施例によれば、ユーザ入力端末部１０は、英数字入力機能を使用できるようにする複数のキーを有するキーパッドとして実装することができる。ユーザ入力端末部１０は、音声入力機能を備えることもできる。ユーザ入力端末部１０は、例えば、使用中に（例えば発光ダイオード（ＬＥＤ）および／またはその他の照明手段によって）照明することもできる。ユーザ入力端末部１０により、画像関連付けまたはリンク付け機能を選択すること、画像関連付けまたはリンク付けモードを選択すること、特定の画像リンク付けモードに基づいて選択された１組の画像から１つまたは複数の画像を選択することなど、様々な機能を選択するためのユーザ入力を行うことができる。
【００１３】
入出力ブロック１２は、通信装置１００の入出力機能を実行するように動作することができる。例示的な実施例によれば、入出力ブロック１２は、１つまたは複数の別のネットワーク内のその他のデバイス、システム、および／または装置に信号を送信し、それらのデバイス、システム、および／または装置から信号を受信するように動作することができる。入出力ブロック１２は、１つまたは複数のアンテナ要素、プラグ、および／またはその他のタイプの入出力要素を含むことができる。
【００１４】
プロセッサ１４は、通信装置１００の様々な信号処理および制御機能を実行するように動作することができる。例示的な実施例によれば、プロセッサ１４は、本開示の原理による画像リンク付け機能を使用可能にするソフトウェア・コードを実行するように動作することができる。例示的な実施例によれば、プロセッサ１４は、電話番号からの着呼など、画像に関連する入来通信の受信に応答して、静止画やビデオ・フレームなどの画像のディスプレイ１８による表示を可能にする。例えば、プロセッサ１４は、マニュアル画像リンク付けモード、ベスト・セット（ｂｅｓｔ  ｓｅｔ）画像リンク付けモード、およびベスト・チョイス（ｂｅｓｔ  ｃｈｏｉｃｅ）画像リンク付けモードを含むことができる。さらに、例示的な実施例によれば、プロセッサ１４は、通信装置１００または通信装置１００の外部のメモリに記憶された画像を、通信装置１００に記憶されたレコードとリンク付けすることを可能にする。プロセッサ１４は、１組の画像セットに関連するデータ、または電話レコードなどの通信に関連するデータの一部を抽出して、比較することもできる。本開示の画像関連付けまたはリンク付け機能については、以下でさらに詳細に述べる。
【００１５】
プロセッサ１４は、ユーザ入力端末部１０を介して行われたユーザ入力を検出および処理する、メモリ１６からのデータの読取りおよびメモリ１６へのデータの書込みを行う、ダイヤル・アウト機能や発呼受信機能などの発呼処理機能を実行する、ディスプレイ１８によるピクチャおよびユーザ・インタフェースの表示を可能にする、ならびに／またはその他の機能など、通信装置１００の各種機能を実行および／または使用可能にするように動作することができる。
【００１６】
メモリ１６は、通信装置１００のデータ記憶機能を実行するように動作することができる。例示的な実施例によれば、メモリ１６は、実行可能ソフトウェア・コード、画像（例えば静止画および／または動画／ビデオなど）、オンスクリーン表示データ、以前にダイヤルした発呼の番号や以前に受信した発呼の番号などの電話番号、画像と電話番号の関連を示すデータなどのユーザ設定データ、および／またはその他のデータなどのデータを記憶する。
【００１７】
ディスプレイ１８は、プロセッサ１４の制御下で視覚表示を提供するように動作することができる。例示的な実施例によれば、ディスプレイ１８は、１つまたは複数の画像に関連する電話番号からの入来電話呼を受信したのに応答して、ピクチャまたはビデオ・フレームなどの画像の視覚表示を提供する。ディスプレイ１８は、タッチ・スクリーンとして実装することもできる。この場合には、ディスプレイ１８は、ユーザ入力端末部１０の１つまたは複数のキーに対応するタッチ・アイコンを含むことができる。音声トランシーバ２０は、電話呼中に、プロセッサ１４に音声データを送信し、プロセッサ１４から音声データを受信するように動作することができる。
【００１８】
上述の実施例では、一般に電話システムと連動する電気通信デバイスの動作について述べたが、この実施例の本発明の特徴についての記述は、その他の通信デバイスにも当てはめることができる。例えば、ハンドヘルド型無線通信デバイスは、電子メッセージまたは電子メールの形態で通信を行うことができる。本開示に述べる画像リンク付けプロセスを用いて、画像を、電子メッセージまたは電子メールの送信者とリンク付けすることができる。この場合には、画像とリンク付けされた送信者からの通信を受信したときに、そのハンドヘルド型無線通信デバイス上に画像を表示することができる。
【００１９】
次に図２を参照すると、本開示の特徴による電話装置２００の別の実施例を示すブロック図が示してある。電話装置２００は、２つの主要ブロック、すなわちハンドセット２１０およびベース・ユニット２５０を備える。ハンドセット２１０は、アンテナ回路２１２、受話口２１４、ディスプレイ２１６、ハンドセット・プロセッサ２１８、メモリ２２０、送話口２２２、およびキーパッド２２４を備える。ベース・ユニット２５０は、インタフェース回路２５２、ユーザ・インタフェース２５４、ディスプレイ２５６、アンテナ回路２５８、ベース・プロセッサ２６０、メモリ２６４、およびハンドセット・クレードル２６４を備える。電話装置２００の上述の要素の一部は、１つまたは複数の集積回路（ＩＣ）を用いて実装することもできる。説明を分かり易くするために、一部の制御信号、パワー信号、および／またはその他の要素など、電話装置２００に関連する一部の従来技術の要素は、図２には示していない場合もある。
【００２０】
ハンドセット２１０内部では、ハンドセット・プロセッサ２１８は、アンテナ回路２１２、受話口２１４、ディスプレイ２１６、メモリ２２０、送話口２２２、およびキーパッド２２４に接続している。ハンドセット・プロセッサ２１８は、音声、映像またはデータなどの情報をアンテナ回路２１２を介して受信および送信する、またキーパッド２２４からのユーザ入力を復号するなど、プロセッサ１４に関連して上述した機能と同様の機能を提供する。ハンドセット・プロセッサ２１８は、送話口２２２から受信したり、ユーザに聞こえるように受話口２１４に送信したりする音声信号と電話信号の間の変換および復号も行う。ハンドセット・プロセッサ２１８は、アンテナ回路２１２を介して供給され、またはメモリ２２０に記憶され、メモリ２２０から取り出され、ディスプレイ２１６に表示され得る画像またはピクチャ情報も復号する。ハンドセット・プロセッサ２１８は、複数のリンク付けモードからの画像リンク付けモードの選択を可能にすることもできる。さらに、例示的な実施例によれば、ハンドセット・プロセッサ２１８は、メモリ２２０または電話装置２００外部のメモリに記憶された画像の、メモリ２２０に記憶されたレコードとの関連付けを行うことも可能にする。プロセッサ２１８は、１つまたは複数の動作モードで画像の関連付けを行うことができるようにすることができる。
【００２１】
ベース・ユニット２５０内部では、ベース・プロセッサ２６０は、インタフェース２５２、ユーザ・インタフェース２５４、ディスプレイ２５６、アンテナ回路２５８、メモリ２６２、およびハンドセット・クレードル２６４に接続している。ベース・プロセッサ２６０は、音声、映像またはデータなどの情報をアンテナ回路２５９を介して受信および送信する、またユーザ・インタフェース２５４からのユーザ入力を復号し、ユーザ・インタフェース２５４にユーザ状態を提供するなど、プロセッサ１４に関連して上述した機能と同様の機能を提供する。
【００２２】
ベース・ユニット２５０およびハンドセット・ユニット２１０の何れか一方しかディスプレイ要素を備えていなくてもよいことに留意されたい。例えば、ディスプレイ２１６が、ハンドセット２１０に存在していなくてもよい。ベース・ユニット２５０のディスプレイ２５６のみが存在して、画像およびその他の情報を表示することができればよい。さらに、ハンドセット・ユニット２１０のディスプレイ２１６の表示機能と、ベース・ユニット２５０のディスプレイ２５６の表示機能とが異なっていてもよい。例えば、ディスプレイ２１６が、電話番号など白黒のテキスト情報を表示することができ、ディスプレイ２５６が、ピクチャやビデオなどのカラー画像を表示し、電話呼に関係するその他の情報を表示することができてもよい。
【００２３】
また、本明細書で述べるベース・プロセッサ２６０が実行する機能とハンドセット・プロセッサ２１８が実行する機能は、相補的で、互いに重複していてもよいことにも留意されたい。例えば、ベース・プロセッサ２６０が、ディスプレイ２１６およびディスプレイ２５６の一方または両方への画像の表示を可能にするディスプレイ制御装置などの回路を備え、ハンドセット・プロセッサ２１８の方は、ベース・プロセッサ２６０のディスプレイ制御装置に応答するディスプレイ制御回路しか備えていなくてもよい。さらに、ベース・プロセッサ２６０は、メモリ２６２に画像を記憶し、メモリ２６２から画像を取り出し、その画像に関連する抽出したデータに基づいてキーワードを抽出または生成する回路を含むこともできる。ハンドセット・プロセッサ２１８は、メモリ２２０にレコードを記憶し、メモリ２２０からレコードを取り出す回路を含み、キーワードをベース・ユニット２５０に送信することができる。ベース・プロセッサ２６０は、画像のキーワードをレコードのキーワードと比較する追加の回路を含むこともできる。
【００２４】
さらに、画像のリンク付けに関する本開示の特徴の何れかまたは全てを、実行可能コードとして、ベース・プロセッサ２６０またはハンドセット・プロセッサ２１８あるいはその両方に含めることもできる。例示的な実施例では、ベース・プロセッサは、画像に関連するデータの一部をレコードに関連するデータの一部と比較するなど、画像をレコードとリンク付けする１つまたは複数のモードを実行することができるソフトウェア・コードを実行するマイクロプロセッサである。同様に、別の実施例では、ハンドセット・プロセッサを、同様のソフトウェア・コードを実行することができるマイクロプロセッサとしてもよい。
【００２５】
ベース・プロセッサ２６０は、インタフェース２５２を介して受信または送信される信号も復号および制御する。インタフェース２５２は、外部デバイスおよびネットワークと信号をやり取りするためのインタフェースとなる。好ましい実施例では、インタフェース２５２は、音声呼出しを行う標準的な電話回線発呼システムとのインタフェースとなり、また、データの転送を行うコンピュータまたはインターネット・ネットワークとのインタフェースにもなる。ベース・プロセッサ２６０は、アンテナ回路２５８を介して供給され得る画像情報、インタフェース２５２を介して供給され得る画像情報、またはメモリ２６２に記憶され、メモリ２６２から取り出され得る、ディスプレイ２５６に表示され得る画像情報も復号する。
【００２６】
ハンドセット・クレードル２６４は、例えばハンドセット２１０を使用しないときなどの、ハンドセット２１０の据え置き型の格納場所となる。ハンドセット・クレードル２６４は、ハンドセット２１０のバッテリ・パワー・デバイス（ｂａｔｔｅｒｙ  ｐｏｗｅｒ  ｄｅｖｉｃｅ）を充電する、またはハンドセット２１０とベース・ユニット２５０の間で直接データ通信を行うためにハンドセット２１０上の接続部（図示せず）に接続される接続部を備えることができる。ベース・ユニット２５０は、コンセントに接続して、ベース・ユニットに給電し、ハンドセット２１０を充電する、電源回路（図示せず）を備えることもできる。
【００２７】
無線通信は、ハンドセット２１０ではアンテナ回路２１２を介して、ベース・ユニット２５０ではアンテナ回路２５８を介して確立される。ハンドセット２１０とベース・ユニット２５０の間の通信プロトコルは、インタフェース２５２に接続された電話回線からの音声情報を、ハンドセット２１０のユーザに転送する。好ましい実施例では、通信プロトコルは、ＤＥＣＴ（Ｄｉｇｉｔａｌ  Ｅｎｈａｎｃｅｄ  Ｃｏｒｄｌｅｓｓ  Ｔｅｌｅｃｏｍｍｕｎｉｃａｔｉｏｎｓ）６．０標準に準拠し、音声情報とビデオまたは制御情報に対応するデータとを別個に転送することができる。ハンドセット２１０およびベース・ユニット２５０が両方とも、無線ローカル・エリア・ネットワーク（ＷＬＡＮ）または携帯電話網などのその他の無線通信ネットワークでの通信を行うことができてもよい。
【００２８】
次に図３を参照すると、本開示の特徴の例示的な実施例による画像リンク付け機能を設定するプロセス３００の各ステップを示す流れ図が示してある。例示および説明のために、主に図１の通信装置１００に関連してプロセス３００について述べる。プロセス３００については、図２の電話装置２００などの実施例を用いても同じように説明することができる。プロセス３００の各ステップは例示のみを目的としたものであり、いかなる意味でも本開示を限定するものではない。さらに、プロセス３００に示す各ステップは、コンピュータなど、外部の電子デバイスを用いて実行することもできる。以下で述べるように、ステップ３３０の結果は、その後、ネットワークまたはインターネット接続などの通信ネットワークを用いて、通信装置１００に転送することも、または電話装置２００に転送することもできる。
【００２９】
ステップ３１０で、ユーザは、画像リンク付け機能を選択する。例示的な実施例によれば、ユーザは、ステップ３１０で、ディスプレイ１８を介して与えられる、通信装置１００が提供するいくつかの利用可能な機能を列挙したオンスクリーン・メニューに応答して、ユーザ入力端末部１０を介して１つまたは複数の入力を提供することによって、画像リンク付け機能を選択することができる。
【００３０】
ステップ３１０でユーザが画像リンク付け機能を選択すると、プロセス・フローはステップ３２０に進み、ユーザはレコードを選択する。例示的な実施例によれば、ステップ３１０で、ユーザは、ディスプレイ１８を介して与えられる、いくつかの個別の発呼者を列挙したオンスクリーン・メニューに応答して、ユーザ入力端末部１０を介して１つまたは複数の入力を提供することによって、レコードを選択することができる。個々のレコードは、以前に受信した着呼から記憶したＣＩＤレコードとして列挙してもよいし、名前、電話番号、および／または個別の発呼者に関連するその他の情報を含む通信装置１００の電話帳機能のエントリとして列挙してもよい。電話帳のエントリは、例えば、本明細書では説明しない通信装置１００の別の設定プロセス中に、ユーザが手作業で入力して、メモリ１６に記憶してもよい。
【００３１】
ステップ３２０でユーザがレコードを選択すると、プロセス・フローはステップ３３０に進み、画像が、そのレコードに関連する、またはそのレコードとリンク付けされているものと識別または判定される。例示的な実施例によれば、ステップ３３０における画像とレコードの関連付けまたはリンク付けは、ディスプレイ１８に表示される画像に応答してユーザ入力端末部１０を介して１つまたは複数のユーザ入力を提供することにより、プロセッサ１４の制御下で行うことができる。選択された画像は、通信装置１００のローカル・メモリ（すなわちメモリ１６）および／または入出力ブロック１２を介して通信装置１００に動作可能に結合された別のデバイスのメモリに記憶することができる。例えば、選択された画像は、通信装置１００に接続されたコンピュータ、および／またはインターネット上にあるリポジトリ（ｒｅｐｏｓｉｔｏｒｙ）に記憶することができる。また、選択された画像は、１つまたは複数の画像「コンテナ」（例えばフォルダやハード・ドライブなど）に収容することもできる。さらに、選択された複数の画像は、静止画および／または動画ビデオ・シーケンスとすることができる。本明細書で使用する「画像」という用語は、写真および／またはグラフィカル・ファイル画像など、任意のタイプのピクチャを指すことができる。関連付けプロセスの詳細は、以下でさらに詳細に述べる。
【００３２】
画像を選択して記憶するだけでなく、ユーザは、画像を選択して、選択した画像を、図２に示す電話装置２００のハンドセット２１０とベース・ユニット２５０の間で通信または伝送することもできる。例えば、１つの画像を選択し、ベース・ユニット２５０からハンドセット２１０に伝送して、ハンドセット２１０のディスプレイ２１６に表示することもできる。選択された画像は、入来呼を受信するハンドセットでの表示に使用することができる。また、選択された画像は、電話装置２００のベース・ユニット２５０のディスプレイ２５６での表示用に選択した画像と異なっていてもよい。別の例では、ハンドセット２１０を通して画像を受信し、その画像をベース・ユニット２５０に伝送して記憶し、将来の表示に備えてもよい。
【００３３】
ステップ３３０の画像リンク付けプロセス中に、ユーザは、選択した画像のうちの１つまたは複数についてのパラメータを修正する機会を得ることもある。例えば、クロッピング、シェーディング、およびサイズ変更のパラメータ、ならびにその他の既知の画像・パラメータを修正することができる。また、ユーザは、ステップ３３０の画像リンク付けプロセス中に、通信装置１００が対応する電話番号からの電話呼などの入来通信を受信したときに選択した画像を表示する方法を選択する機会を得ることもある。例えば、ユーザは、選択した画像をスライド・ショーとして表示すると指定することもできる。スライド・ショーでは、複数の画像を１度に１つずつ順番に表示することができる。画像は、フル・スクリーン・モードで１度に全てを表示することもできるし、選択した画像の一部または全てのモザイクとして表示することもできる。その場合には、画像の「サムネイル」は、それぞれ同じ大きさであっても異なる大きさであってもよい。また、移行効果はいくつ用いてもよく、且つ／または表示の向きも様々に異なっていてもよい。このようにして、ユーザは、選択した画像のうちの１つまたは複数を表示する時間的順序を選択し、且つ／または選択した画像のうちの１つまたは複数を表示する期間を選択することができる。別の例では、ユーザは、選択した画像のうちの特定のいくつかを、選択した順序の中で最初に表示し、その後に選択した画像の残りを無作為に表示するように指定することもできる。さらに別の例では、ユーザは、選択した画像のうちの特定のいくつかの表示期間が、他の選択した画像の表示期間より長くなる、または短くなるように指定することもできる。特定の画像を、異なる形態で、異なる時間フレームで表示できるという利点は、表示の視覚的な魅力を向上させることができるだけでなく、ディスプレイへの画像の焼付き効果を軽減するなど、機能上の利点を強化することもできる。
【００３４】
また、ステップ３３０の画像リンク付けプロセス中に、ユーザは、通信装置１００が対応する電話番号からの電話呼などの入来通信を受信したときに選択した画像をどこに表示するかを指定する機会を得ることもある。例えば、ユーザは、選択した画像の一部または全てが、通信装置１００のディスプレイ１８、および／あるいは１つまたは複数のその他のデバイス（例えばベース・ステーション２５０、コンピュータ・モニタ、テレビジョン画面など）に表示されるように指定することができる。ステップ３３０におけるユーザの選択の全てに対応するデータは、メモリ１６に記憶される。
【００３５】
ステップ３３０において、ユーザが画像とレコードの関連付けまたはリンク付けを行い、任意のその他の入力選択を行った後、プロセス・フローは、ステップ３４０に進む。ステップ３４０で、ユーザは、別のレコードを選択する機会を得る。ステップ３４０で、ユーザが別のレコードを選択することにした場合には、プロセス・フローは、ステップ３２０に戻り、別のレコードが選択される。その後、上述のように、ステップ３３０において、画像が、レコードに関連する、またはレコードとリンク付けされているものと識別または判定する。あるいは、ステップ３４０で、ユーザが別のレコードを選択しないことにした場合には、プロセス・フローはステップ３５０に進み、ユーザは、ユーザ入力端末部１０を介して通信装置１００に１つまたは複数の入力を提供することにより、画像リンク付け機能を終了する。
【００３６】
図３の各ステップは、設計の選択に応じて変化してもよいことに留意されたい。例えば、ユーザは、所与の呼レコードに関連付ける画像を選択した後で（すなわち図３に示すステップ３３０の後で）、その呼レコードを実際に選択する（すなわち図３のステップ３２０を行う）機会を得ることもある。
【００３７】
次に図４を参照すると、本開示の特徴の例示的な実施例による、画像をレコードとリンク付けするモードを実行するプロセス４００を示す流れ図が示してある。プロセス４００は、図３のリンク付けステップ３３０を実施する方法の一例である。プロセス４００は、ベスト・セット・リンク付けモードと呼ばれることもあり、画像を比較して、選択した画像に関連するデータの少なくとも一部が、レコードに関連するデータの少なくとも一部と一致するような画像グループを選択することを特徴とする。
【００３８】
ステップ４０２で、選択したレコードに関する情報を探索し、解析する。この探索および解析は、プロセッサ１４などのプロセッサ、またはその他の任意の演算解析回路が行うことができる。例示的な実施例では、レコードに関連付けられた記憶されている情報としては、電話番号、エリア・コード、発呼者名、およびファイル名などがある。通信レコードに関連する任意の情報を、探索し、解析することができる。
【００３９】
次に、ステップ４０４で、探索および解析した情報に基づいてレコードからキーワード・リストを生成する。レコードのキーワード・リストは、画像とレコードを比較する機能と、それらを付き合わせる機能とを向上させることができる単語の有界リスト（ｂｏｕｎｄｅｄ  ｌｉｓｔ）である。キーワード生成は、上述のように、プロセッサ１４などのプロセッサ、またはその他の任意の演算解析回路が行うことができる。キーワード・リストの生成には、いくつかの手法を利用することができることに留意されたい。例示的な実施例では、キーワード・リストは、レコードから識別された名前、場所、および日付を含む単語のリストである。キーワード・リストは、レコードの記憶時にレコードと共に自動的に入力されたデータなど、レコードのメタデータを含んでいてもよい。
【００４０】
ステップ４０６で、選択したレコードに関連する情報を探索し、解析する。この探索および解析は、上述のように、プロセッサ１４などのプロセッサ、またはその他の任意の演算解析回路によって行うことができる。例示的な実施例では、情報としては、画像ファイルのファイル名、画像が記憶または修正された日付、および画像を記憶する際に自動的に含めることができる、またはユーザによる手作業の入力によって含めることができる任意のメタデータを含むことができる。通信レコードに関連する任意の情報を、探索および解析することができる。
【００４１】
次に、ステップ４０８で、記憶した画像からの情報に基づいて、キーワード・リストを生成する。画像のキーワード・リストは、画像とレコードを比較し、それらの突き合わせを行う機能を向上させることができる単語のリストである。そのキーワードの生成は、上述のように、プロセッサ１４などのプロセッサ、またはその他の任意の演算解析回路が行うことができる。キーワード・リストの生成には、いくつかの手法を利用することができることに留意されたい。例示的な実施例では、キーワード・リストは、レコード、または画像の記憶時に自動的に記憶されたデータなどの任意のメタデータから識別された名前、場所、および日付を含む単語のリストである。各画像は、関連情報の解析に基づいて、その画像に関連する１つまたは複数のキーワードを有することになる。
【００４２】
ステップ４０４でレコードのキーワード・リストを生成し、ステップ４０８で画像のキーワード・リストを生成すると、プロセスは、ステップ４１０に進む。ステップ４１０で、レコードのキーワード・リストと画像のキーワード・リストとを、画像ごとに比較する。次に、ステップ４１２で、この比較結果に基づいて、１組の画像セットを表示する。例示的な実施例では、レコードに関連するキーワードと一致する関連するキーワードを少なくとも１つ有する全ての画像を、ディスプレイ１８などのディスプレイに表示する。別の例示的な実施例では、上述のように、全ての画像を表示する。ただし、例えば、少なくとも１つのキーワードが一致する画像が６つ以上ある場合には、一致した数の最も多い５つの画像だけを表示する。表示する画像の数を制限することにより、画像のリンク付けの使用を制限し、有用にすることができる。
【００４３】
次に、ステップ４１４で、ステップ４１２で表示した画像のセットから、１つまたは複数の画像を選択する。ステップ４１４で、表示されている画像セットから少なくとも１つの画像を選択した場合には、ステップ４１６で、ステップ４１４での選択に基づいて、その画像をレコードとリンク付けする。あるいは、ステップ４１２で表示された画像セットの全ての画像を、ステップ４１４で選択し、レコードとリンク付けすることもできる。
【００４４】
ステップ４１４で画像を選択しない場合には、ステップ４１８で、プロセスは終了する。あるいは、ステップ４１８で、プロセスは、異なるリンク付けモードに進むこともできる。異なるリンク付けモードとしては、キーワードの一致に係わらず、利用可能な全ての画像から１つの画像を選択するモードなどがある。
【００４５】
次に図５を参照すると、本開示の特徴の例示的な実施例による、画像をレコードとリンク付けする別のモードを実行するプロセス５００を示す流れ図が示してある。プロセス５００は、図３のリンク付けステップ３３０を実施する方法の一例である。プロセス５００は、ベスト・チョイス・リンク付けモードと呼ばれることもあり、画像を比較して、レコードに関連するデータの一部と一致するデータ部分が最大である画像を選択することを特徴とする。
【００４６】
ステップ５０２、５０４、５０６、５０８、および５１０は、図４に示すステップ４０２、４０４、４０６、４０８、および４１０と同様であり、本明細書ではこれ以上説明しない。ステップ５１２で、ステップ５１０の比較結果に基づいて、レコードに関連するキーワードと最もよくキーワードが一致する画像を決定し、表示する。例示的な実施例では、レコードに関連するキーワードに一致するキーワードの数が最大となる画像を、この最もよく一致する画像と決定する。
【００４７】
次に、ステップ５１４で、最もよく一致する画像と決定した画像を、ステップ５１２における表示に基づいて選択する。ステップ５１４で、画像を表示するものとして選択した場合には、ステップ５１６で、ステップ５１４での選択に基づいて、その画像をレコードとリンク付けする。
【００４８】
ステップ５１４で、画像を選択しない場合には、ステップ５１８で、プロセスは終了する。あるいは、ステップ５１８で、プロセスは、異なるリンク付けモードに進むこともできる。異なるリンク付けモードとしては、キーワードの一致に係わらず、利用可能な全ての画像から１つの画像を選択するモードなどがある。
【００４９】
次に図６を参照すると、本開示の特徴の別の例示的な実施例による画像リンク付け機能を実行するプロセス６００の各ステップを説明する流れ図が示してある。例示および説明のために、主に図１の通信装置１００に関連してプロセス６００について述べる。プロセス６００については、図２の電話装置２００などの実施例を用いても同じように説明することができる。プロセス６００の各ステップは例示のみを目的としたものであり、いかなる意味でも本開示を限定するものではない。さらに、プロセス６００に示す各ステップは、コンピュータなど、外部の電子デバイスを用いて実行することもできる。以下に示すように、ステップ６８５の結果は、その後、ネットワークまたはインターネット接続などの通信ネットワークを用いて、通信装置１００に転送することも、または電話装置２００に転送することもできる。
【００５０】
ステップ６１０で、ユーザは、画像リンク付け機能を選択する。例示的な実施例によれば、ユーザは、ステップ６１０で、ディスプレイ１８を介して与えられる、通信装置１００が提供するいくつかの利用可能な機能を列挙したオンスクリーン・メニューに応答して、ユーザ入力端末部１０を介して１つまたは複数の入力を提供することによって、画像リンク付け機能を選択することができる。
【００５１】
ステップ６１０でユーザが画像リンク付け機能を選択すると、プロセス・フローはステップ６２０に進み、ユーザはレコードを選択する。例示的な実施例によれば、ステップ６２０で、ユーザは、ディスプレイ１８を介して与えられる、いくつかの個別の発呼者を列挙したオンスクリーン・メニューに応答して、ユーザ入力端末部１０を介して１つまたは複数の入力を提供することによって、電話呼レコードを選択することができる。個々の呼レコードは、以前に受信した着呼から記憶したＣＩＤレコードとして列挙してもよいし、名前、電話番号、および／または個別の発呼者に関連するその他の情報を含む通信装置１００の電話帳機能のエントリとして列挙してもよい。電話帳のエントリは、例えば、本明細書では説明しないが、通信装置１００の別の設定プロセス中に、ユーザが手作業で入力して、メモリ１６に記憶してもよい。
【００５２】
ステップ６２０でユーザがレコードを選択すると、プロセス・フローはステップ６３０に進み、ユーザは、画像をレコードとリンク付けするモードを選択する。例示的な実施例によれば、ユーザは、ディスプレイ１８を介して提供されるオンスクリーン・メニューに応答してユーザ入力端末部１０を介して１つまたは複数の入力を提供することによってリンク付けまたは関連付けを行うモードを選択することができる。さらに、１つの特定の関連付けモードを、デフォルトの関連付けモードとして選択することもできる。
【００５３】
ステップ６３０で選択したリンク付けモードが、ステップ６３２でマニュアル・モードとして識別または選択された場合には、プロセスは、ステップ６４０に進み、利用可能な全ての画像が表示される。これらの画像は、上述のように任意のメモリ・ソースから取り出すこともできるし、ネットワークまたはインターネット接続を介してアクセスできる外部位置から取り出すこともできる。これらの画像は、サムネイルなど好都合な表示フォーマットで表示することができ、さらにページまたはフォルダに整理することもできる。
【００５４】
ステップ６３０で選択した関連付けモードが、ステップ６３４でベスト・セット・モードとして識別または選択された場合には、プロセスは、ステップ６５０に進み、ベスト・セット・リンク付けに基づく情報探索、キーワード生成および画像選択プロセスが、例えば図４のステップ４０２〜４１０で述べたように実行される。
【００５５】
リンク付けステップ６５０の一部としてレコードと画像の間のキーワードの比較が完了すると、ステップ６６０で、ベスト・セットの画像が表示される。これらの画像は、サムネイルなど好都合な表示フォーマットで表示することができ、さらにページまたはフォルダに整理することもできる。
【００５６】
マニュアル・リンク付けモードの表示ステップ６４０またはベスト・セット・リンク付けモードの表示ステップ６６０の後、プロセスは、ステップ６７０に進む。ステップ６７０で、表示された画像を選択する。
【００５７】
ステップ６３０で選択した関連付けモードが、ステップ６３６でベスト・チョイス・モードとして識別または選択された場合には、プロセスは、ステップ６８０に進み、ベスト・チョイス・リンク付けに基づく情報探索、キーワード生成および画像選択プロセスが、例えば図５のステップ５０２〜５１０で述べたように実行される。ベスト・チョイス画像は、ユーザとの対話などそれ以上の対話を行わずに、自動的に選択し、レコードとリンク付けすることもできることに留意されたい。
【００５８】
次に、ステップ６８５で、ステップ６７０で選択された任意の画像またはステップ６８０のベスト・チョイス画像を、レコードに関連する、またはレコードとリンク付けされたものとして識別する。例示的な実施例によれば、ステップ６８５における画像とレコードのリンク付けは、プロセッサ１４の制御下で、ディスプレイ１８を介して表示される画像に応答してユーザ入力端末部１０を介して１つまたは複数のユーザ入力を提供することによって、行うことができる。選択された画像は、通信装置１００のローカル・メモリ（すなわちメモリ１６）および／または入出力ブロック１２を介して通信装置１００に動作可能に結合された別のデバイスのメモリに記憶することができる。例えば、選択された画像は、通信装置１００に接続されたコンピュータ、および／またはインターネット上にあるリポジトリに記憶することができる。また、選択された画像は、１つまたは複数の画像コンテナ（例えばフォルダやハード・ドライブなど）に収容することもできる。さらに、選択された複数の画像は、静止画および／または動画ビデオ・シーケンスとすることができる。本明細書で使用する画像という用語は、写真および／またはグラフィカル・ファイル画像など、任意のタイプのピクチャを指すことができる。
【００５９】
画像とレコードのリンク付けに基づいて画像を選択して記憶するだけでなく、ユーザは、画像を選択して、選択した画像を、図２に示す電話装置２００のハンドセット２１０とベース・ユニット２５０の間で通信または伝送することもできる。例えば、１つの画像を選択し、ベース・ユニット２５０からハンドセット２１０に伝送して、ハンドセット２１０のディスプレイ２１６に表示することもできる。選択された画像は、入来呼を受信するハンドセットでの表示に使用することができる。また、選択された画像は、電話装置２００のベース・ユニット２５０のディスプレイ２５６での表示用に選択した画像と異なっていてもよい。別の例では、ハンドセット２１０を通して画像を受信し、その画像をベース・ユニット２５０に伝送して記憶し、将来の表示に備えてもよい。
【００６０】
ステップ６８５の画像リンク付け中に、ユーザは、選択した画像のうちの１つまたは複数についてのパラメータを修正する機会を得ることもある。例えば、上述のように、クロッピング、シェーディング、およびサイズ変更のパラメータ、ならびにその他の既知の画像パラメータを修正することができる。また、上述のように、ユーザは、ステップ６８５の画像リンク付け中に、例えば対応する電話番号からの入来電話呼を通信装置１００が受信したときに選択した画像を表示する方法を選択する、または電話装置２００などのデバイスにおいて画像をどこに表示するかを指定する機会を得ることもある。
【００６１】
ユーザが、ステップ６８５で画像を通信レコードと関連付けまたはリンク付けし、その他の任意の入力選択を提供すると、プロセス・フローは、ステップ６９０に進み、ユーザは、別のレコードを選択する機会を得る。ステップ６９０で、ユーザが別のレコードを選択することにした場合には、プロセス・フローは、ステップ６２０に戻り、別のレコードが選択される。その後、上述のように、選択したモードに基づいて、１つまたは複数の画像をレコードとリンク付けする。あるいは、ステップ６９０で、ユーザが別のレコードを選択しないことにした場合には、プロセス・フローは、ステップ６９５に進み、ユーザは、ユーザ入力端末部１０を介して通信装置１００に１つまたは複数の入力を提供することによって、画像リンク付け機能を終了する。
【００６２】
図６の各ステップは、設計の選択に応じて変化してもよいことに留意されたい。例えば、ユーザは、所与のレコードに関連付ける（リンク付けする）画像を選択した後で、そのレコードを実際に選択する機会を得ることもある。
【００６３】
次に図７を参照すると、本開示の例示的な実施例による画像リンク付け機能と共に使用されるユーザ・インタフェース表示７００を説明する図が示してある。ユーザ・インタフェース表示７００は、図１のディスプレイ１８や図２のディスプレイ２５６などの通信デバイスの表示要素を用いた完全なユーザ・インタフェースの一部として示すことができる。ユーザ・インタフェース表示７００は、図４のステップ４１２、図５のステップ５１２、または図６のステップ６６０などに示すような、初期画像または画像表示ステップに対応することがある。
【００６４】
表示ウィンドウ７１０は、上述のような初期画像比較ステップで選択された１組のピクチャ画像７２０ａ〜７２０ｅを含む。ピクチャ画像７２０ａ〜７２０ｅは、サムネイルなど、いくつかの形態で表示することができる。ピクチャ画像７２０ａ〜７２０ｅは、各画像に関連するデータまたはキーワードの表示を含むこともできる。表示ウィンドウ７１０に表示されるピクチャ画像の数は、使用する画像リンク付けモードによって決まることもあることに留意されたい。コマンド・ライン７３０を使用して、ユーザに、ピクチャ画像７２０ａ〜７２０ｅから１つまたは複数を選択するよう促す。強調ウィンドウ７４０は、ピクチャ画像７２０ａ〜７２０ｅのうちの１つの上に配置される。強調ウィンドウ７４０は、ピクチャ画像間で移動することができ、通信装置１００のユーザ入力端末部１０などの通信デバイスのボタンを使用することにより、表示されたピクチャ画像に基づいてピクチャを選択することができる。ピクチャ画像７２０ａ〜７２０ｅの代わりに、ピクチャ画像以外の形態の画像を表示することもできることは重要である。
【００６５】
「続行」アイコン７５０も、表示ウィンドウ７１０に表示される。強調ウィンドウ７４０を移動して、続行アイコン７５０の上に配置してもよい。続行アイコン７５０を選択すると、ユーザ・インタフェース表示７００に関するアクティビティが終了し、ユーザ・インタフェースおよび画像リンク付けプロセスの次の局面に進む。ピクチャ画像７２０ａ〜７２０ｅに基づいて何れかの画像が選択される前に続行ボックス７５０が選択された場合には、通信レコードとリンク付けされる画像は選択されないことに留意されたい。
【００６６】
次に図８を参照すると、本開示の特徴の例示的な実施例による画像リンク付け機能を実行するプロセス８００の各ステップを説明する流れ図が示してある。例示および説明のために、主に図１の通信装置１００に関連してプロセス８００について述べる。プロセス８００については、図２の電話装置２００などの実施例を用いても同じように説明することができる。プロセス８００の各ステップは例示のみを目的としたものであり、いかなる意味でも本開示を限定するものではない。
【００６７】
ステップ８１０で、通信装置１００は、入来通信を受信する。この通信は、この通信の送信者に関する情報を含む。この送信者情報は、レコードとして、通信装置１００内に位置する、または記憶される。例示的な実施例によれば、入来電話呼は、プロセッサ１４によって検出される、発呼者の電話番号を示すＣＩＤ情報を含む。
【００６８】
次に、ステップ８２０で、発呼者の電話番号など、この通信で受信した送信者に関する情報が、１つまたは複数の画像と関連付けられているかどうかを判定する。例示的な実施例によれば、このステップ８２０の判定は、プロセッサ１４が、受信したＣＩＤ情報を、図３または図６に示す画像リンク付け機能の設定プロセスでメモリ１６に記憶されたデータと比較することによって行う。
【００６９】
ステップ８２０の判定結果が否定である場合には、プロセス・フローは、ステップ８３０に進み、通信装置１００は、プロセッサ１４の制御下で通常の方法で表示機能を提供する。例示的な実施例によれば、ステップ８３０における通常の方法での表示機能の提供は、発呼者の電話番号を表示することを含むが、発呼者に関連する複数の画像を表示することは含まない。
【００７０】
あるいは、ステップ８２０の判定結果が肯定である場合には、プロセス・フローは、ステップ８４０に進み、通信装置１００は、この通信に関連する画像を表示する。例示的な実施例によれば、発呼者の電話番号にリンク付けされた画像は、プロセッサ１４の制御下で、図３または図６に示す画像リンク付け機能の設定プロセスのステップ８３０で行われたユーザ選択に応じて表示される。ステップ８４０で表示される画像は、通信装置１００のローカル・メモリ（すなわちメモリ１６）および／または入出力ブロック１２を介して通信装置１００に動作可能に結合された別のデバイスのメモリに記憶し、そこから取り出すことができる。通信装置１００以外にも画像を記憶できるようにすることにより、その他のデバイスの記憶装置を共用できる利点から、コストが削減される。ステップ８４０で表示される画像は、静止画および／または動画ビデオ・シーケンスとすることができる。
【００７１】
上記で示したように、ユーザは、通信装置１００が対応する電話番号からの電話呼などの入来通信を受信したときに、選択した画像をステップ８４０で表示する方法を選択することができる。例えば、選択した画像を、スライド・ショーとしてステップ８４０で表示することもできる。スライド・ショーでは、複数の画像を１度に１つずつ順番に表示することができる。画像は、フル・スクリーン・モードで１度に全てを表示することもできるし、選択した画像の一部または全てのモザイクとして表示することもできる。その場合には、画像のサムネイルは、それぞれ同じ大きさであっても異なる大きさであってもよい。また、移行効果はいくつ用いてもよく、且つ／または表示の向きも様々に異なっていてよい。このようにして、選択した画像のうちの１つまたは複数をステップ８４０で表示する時間的順序、および／または選択した画像のうちの１つまたは複数をステップ８４０で表示する期間を、それ以前の選択に基づいて制御することができる。少なくとも１つの例示的な実施例によれば、画像をステップ８４０でスライド・ショーとして１度に１つずつ順番に表示するとき、プロセッサ１４は、通信を受信したり完了したりするなど所定の状態を検出したのに応答して、画像の表示またはローテーションを中断させることもできる。例示的な実施例では、画像を順番に表示するローテーションは、ユーザが電話呼に応えたときに開始され、ユーザが電話を切ったときなど、その電話呼が完了したときに停止される。このような中断を可能にすることの利点は、例えば、新たな電話呼を受信したときに別の画像セットにユーザが素早く表示を切替えることができる、またはＣＩＤなど入来呼に関する新たな情報をユーザに通知することができることである。
【００７２】
また、上記で示したように、ユーザは、通信装置１００が対応する電話番号からの入来電話呼を受信したときに、選択した画像をステップ８４０でどこに表示するかを指定することができる。例えば、ステップ８４０では、通信装置１００のディスプレイ１８、および／あるいは１つまたは複数のその他のデバイス（例えばベース・ステーション２５０、コンピュータ・モニタ、テレビジョン画面など）に、画像を表示することもできる。画像だけでなく、発呼者の電話番号および名前を、ステップ８４０でディスプレイ１８によって表示することもできる。
【００７３】
上記のように、本開示の実施例は、発呼者の電話レコードなどのレコードに画像をリンク付けまたは関連付けする通信デバイス機能を提供する方法および装置を提供する。好ましい設計を有するものとして実施例を説明したが、本開示の趣旨および範囲を逸脱することなく、これらの実施例をさらに修正することもできる。従って、本願は、本発明の一般的原理を用いた、本発明のいかなる変形、用途、または改変もカバーするものとする。さらに、本願は、当技術分野で既知のまたは慣例となっている手法に含まれ、添付の特許請求の範囲内に含まれる本開示からの逸脱もカバーするものとする。
【図１】
0005427933.tif 000002
【図２】
0005427933.tif 000003
【図３】
0005427933.tif 000004
【図４】
0005427933.tif 000005
【図５】
0005427933.tif 000006
【図６】
0005427933.tif 000007
【図７】
0005427933.tif 000008
【図８】
0005427933.tif 000009